(57)【要約】【課題】ワイヤ露出部に曲げ癖が付くのを防止する機能を有するケーシング付ワイヤケーブルを提供する。【解決手段】ケーシング２内にワイヤが通されたケーシング付ワイヤケーブル１であって、前記ワイヤのうちケーシング２で覆われていない両端のワイヤ露出部３Ａ，３Ｂのうち、ワイヤ露出部３Ａを円筒形状のキャップ１０で覆い、ワイヤ露出部３Ｂをすり鉢状の穴８を有する円柱部材７で覆う。【選択図】図２
2008305114.tif 000002
【特許請求の範囲】
【請求項１】
ケーシング内にワイヤが通されたケーシング付ワイヤケーブルであって、前記ワイヤのうち前記ケーシングで覆われていない両端のワイヤ露出部を覆い、前記ワイヤ露出部単独の変形を防止する被覆体を設けたことを特徴とするケーシング付ワイヤケーブル。
【請求項２】
前記両端のワイヤ露出部にワイヤエンドが設けられ、前記被覆体は前記ワイヤエンドを被覆することを特徴とする請求項１に記載のケーシング付ワイヤケーブル。
【請求項３】
前記被覆体のうち一側の被覆体は円筒形状のキャップであり、該キャップは、前記一側のワイヤ露出部に近い側のケーシング一側端部に着脱自在に取り付けられ、
かつ前記被覆体のうち他側の被覆体はすり鉢状の穴を有する円柱部材であり、該円柱部材は、前記他側のケーシング端部に固定されていることを特徴とする請求項２に記載のケーシング付ワイヤケーブル。
【請求項４】
前記一側のワイヤエンドは円柱状であり、前記キャップの内部には前記円柱状のワイヤエンドを係止するキャップ内係止部が設けられ、かつ前記他側のワイヤエンドは球状であり、
前記キャップを前記ケーシング一側端部に装着し、前記円柱状のワイヤエンドを前記キャップ内係止部で係止したとき、前記球状のワイヤエンドは前記円柱部材のすり鉢状の穴に係止されることを特徴とする請求項３に記載のケーシング付ワイヤケーブル。
【請求項５】
前記キャップを前記ケーシング一側端部に装着したとき、前記ケーシング一側端部から前記キャップ内係止部までの距離が、前記ワイヤ両端の各ワイヤ露出部の長さを加えた長さに略等しくなるよう設定されていることを特徴とする請求項４に記載のケーシング付ワイヤケーブル。
【請求項６】
前記ケーシング一側端部にはピンが固定され、該ピンは、前記キャップを前記ケーシング一側端部に装着したとき、前記キャップの下部に形成された屈曲したスリットに係合することを特徴とする請求項３，４又は５に記載のケーシング付ワイヤケーブル。
【請求項７】
前記スリットのうち略水平部分の奥部には前記ピンの外径よりも狭い狭小部が形成され、前記キャップを前記ケーシング一側端部に装着後に該キャップを捻ると、前記ピンは前記狭小部を乗り越えて前記スリットの水平部分奥部にロックされることを特徴とする請求項６に記載のケーシング付ワイヤケーブル。
【請求項８】
前記キャップ内は、挿入部は前記円柱状のワイヤエンドを包含する円形であり、且つ係止部は、前記円柱状のワイヤエンドを上方から見たときの当該ワイヤエンドの外形に倣った略矩形状を徐変させてつないだ貫通穴を有し、前記キャップを前記ワイヤエンドに挿入すると前記貫通穴により前記ワイヤエンドを係止部までガイドすることを特徴とする請求項４〜７のいずれか一項に記載のケーシング付ワイヤケーブル。
【請求項９】
前記円柱状のワイヤエンドは、一側の端面が斜めに形成されていることを特徴とする請求項４〜８のいずれか一項に記載のケーシング付ワイヤケーブル。
【請求項１０】
前記キャップの上部は開口され、その開口部に前記略矩形状の貫通穴に平行に桟部が形成されていることを特徴とする請求項３〜９のいずれか一項に記載のケーシング付ワイヤケーブル。
【発明の詳細な説明】
【技術分野】
【０００１】
本発明はケーシング付ワイヤケーブルに関する。
【背景技術】
【０００２】
一般に、ケーシング付ワイヤケーブルにおいては、チューブ状のケーシングの内部にワイヤが通され、ワイヤはケーシングの軸方向に移動自在となっている。ワイヤの長さはケーシングの長さよりも大きく設定されており、ワイヤの両端部には、ケーシングで覆われていないワイヤ露出部が設けられている。そして、ワイヤ露出部の先端には球状のワイヤエンドが取り付けられている（例えば、特許文献１参照）。
【特許文献１】特開２００６−１０５３３７号公報
【発明の開示】
【発明が解決しようとする課題】
【０００３】
しかしながら、従来の技術では、上述したようにワイヤの長さがケーシングの長さよりも大きく設定されているので、ケーシング付ワイヤケーブルを搬送する際に、ケーシングで覆われていないワイヤ露出部を何かにぶつけて、ワイヤに無理な力を加えると、ワイヤ露出部に曲げ癖が付いてしまうという問題がある。
【０００４】
ワイヤ露出部に曲げ癖が付いてしまうと、ワイヤをケーシング内でその軸方向に移動させたときに、ワイヤとケーシング内面とが擦れて、ワイヤがスムーズに移動できない。
【０００５】
本発明の課題は、ワイヤ露出部に曲げ癖が付くのを防止する機能を有するケーシング付ワイヤケーブルを提供することにある。
【課題を解決するための手段】
【０００６】
上記課題を解決するために、本発明は、ケーシング内にワイヤが通されたケーシング付ワイヤケーブルであって、前記ワイヤのうち前記ケーシングで覆われていない両端のワイヤ露出部を覆い、前記ワイヤ露出部単独の変形を防止する被覆体を設けたことを特徴としている。
【０００７】
上記構成によれば、ワイヤ両端のワイヤ露出部が被覆体で覆われているので、搬送時に当該被覆体を何かにぶつけてしまっても、ワイヤ露出部に直接無理な力が加わることはなく、ワイヤ露出部に曲げ癖が付くのを防止することができる。
【発明の効果】
【０００８】
本発明によれば、ワイヤ露出部に曲げ癖が付くのを防止する機能を有するケーシング付ワイヤケーブルを実現することができる。
【発明を実施するための最良の形態】
【０００９】
以下、本発明の実施例を図面に従って説明する。
【実施例】
【００１０】
図１〜図５は、本発明に係るケーシング付ワイヤケーブルを示しており、該ワイヤケーブルの搬送時に、ワイヤの両端部を被覆体で覆う手順を表している。
【００１１】
本発明に係るケーシング付ワイヤケーブル１は、図１に示すように、合成樹脂からなるチューブ状のケーシング２内にワイヤ３が通されている。ワイヤ３の長さはケーシング２の長さよりも長く、ワイヤ３の両端部はケーシング２で覆われていないワイヤ露出部３Ａ，３Ｂとなっている。ここでは、ワイヤ露出部３Ａは一側のワイヤ露出部であり、ワイヤ露出部３Ｂは他側のワイヤ露出部である。なお、ケーシング２の内表面とワイヤ３の外表面との間には隙間があり、ワイヤ３はケーシング２内を軸方向に移動自在となっている。
【００１２】
一側のワイヤ露出部３Ａの先端にはワイヤエンド４が設けられ、このワイヤエンド４は円柱状となっている。ワイヤエンド４内にはワイヤ露出部３Ａの先端が埋め込まれ、かつワイヤ露出部３Ａはワイヤエンド４の外周面に法線方向に取り付けられている。つまり、ワイヤエンド４はその中心軸がワイヤ露出部３Ａの中心軸と直角になるように取り付けられている（図６（ｃ）参照）。
【００１３】
図６はワイヤエンド４を示しており、（ａ）はその上面図を、（ｂ）は正面図を、（ｃ）は側面図をそれぞれ表している。ワイヤエンド４の一側は、図６（ｃ）に示すように、ワイヤエンド４が台形に見えるように斜めにカットされている。この斜めにカットされた傾斜端面４Ａには、中央部に上下方向に稜線４Ｂが形成されている。つまり、傾斜端面４Ａは、図６（ｂ）において、稜線４Ｂの部分が最も手前側に突出しており、稜線４Ｂ両側の半円部分４Ｃ，４Ｄは稜線４Ｂから離れるにつれて奥側に入り込んでいる（図６（ａ）及び（ｃ）も参照）。なお、ワイヤエンド４の他側は、ワイヤエンド４の中心軸に対して垂直にカットされた垂直端面４Ｅとなっている。
【００１４】
ワイヤ露出部３Ａは、ワイヤエンド４に偏心して取り付けられている。すなわち、ワイヤ露出部３Ａの中心軸からワイヤエンド４の傾斜端面４Ａの下端縁部までの距離をＬ１とし、ワイヤ露出部３Ａの中心軸からワイヤエンド４の垂直端面４Ｅまでの距離をＬ２としたとき、Ｌ１＞Ｌ２に設定されている。
【００１５】
図１〜図５に示すように、他側のワイヤ露出部３Ｂの先端にはワイヤエンド５が設けられ、このワイヤエンド５は球状となっている。ワイヤエンド５内にはワイヤ露出部３Ｂの先端が埋め込まれ、かつワイヤ露出部３Ｂはワイヤエンド５の外面に法線方向に取り付けられている。
【００１６】
ここで、ケーシング２の両端部のうち、ワイヤ露出部３Ａに近い側をケーシング一側端部２Ａとし、ワイヤ露出部３Ｂに近い側をケーシング端部２Ｂとする。ケーシング一側端部２Ａにはピン６を有するリング部材６Ａが固定されている。また、ケーシング端部２Ｂには被覆体としての円柱部材７が設けられている。この円柱部材７はすり鉢状の穴８を有している。すり鉢状の穴８は下部が開放され、この開放端部８Ａの内径は球状のワイヤエンド５の直径よりも大きく設定されている。また、すり鉢状の穴８の上部はケーシング２の内部に連通している。
【００１７】
また、円柱部材７の外周面にはリング状の溝７Ａが形成されている。この溝７Ａには円柱部材７を支持するための支持板９（図１４や図１５参照）が嵌合される。
【００１８】
ケーシング一側端部２Ａには、図２〜図５に示すように、被覆体としての円筒形状のキャップ１０が着脱自在に取り付けられている。このキャップ１０の内部には、図７に示すように、円柱状のワイヤエンド４を係止するためのキャップ内係止部１１が設けられている。
【００１９】
キャップ１０は、その挿入部（下部開放端１０Ｃ）が円柱状のワイヤエンド４を包含する円形に形成されている。キャップ１０の内部には、上下方向の中央部から上部にかけて互いに接近する方向に傾斜した傾斜面１０Ａ，１０Ｂがそれぞれ形成され、これら傾斜面１０Ａ，１０Ｂの上方に、キャップ内係止部１１として貫通穴１１Ａが形成されている。そして、貫通穴１１Ａは、円柱状のワイヤエンド４を上方から見たときの当該ワイヤエンド４の外形に倣った略矩形状を徐変させてつないだ形状をなしている。また、貫通穴１１Ａはワイヤエンド４の外形よりも若干大きく形成されている。
【００２０】
キャップ１０の上部は開口され、その開口部に前記略矩形状の開口穴１１Ａに平行に桟部１２が形成されている。
【００２１】
また、キャップ１０の下部には、図８に示すように、垂直部分１３Ａと水平部分１３Ｂとを有する屈曲したスリット１３が形成されている。このスリット１３の垂直部分１３Ａは下部が開放され開放端１３Ｃとなっている。そして、ケーシング一側端部２Ａに固定されたピン６を、開放端１３Ｃからスリット１３内に入れることができる。すなわち、ピン６はスリット１３に係合することができる。
【００２２】
スリット１３の垂直部分１３Ａは水平部分１３Ｂよりも若干上方へ突き出た形状となっている。また、スリット１３の水平部分１３Ｂには、その奥部にピン６の外径よりも狭い狭小部１３Ｄが形成されている。
【００２３】
なお、図１及び図２に示すように、キャップ１０内部の貫通穴１１Ａの上端部とキャップ１０の下部開口端１０Ｃとの距離をＬ３は、ワイヤ露出部３Ａの長さ（円柱状のワイヤエンド４の下部表面とケーシング一側端部２Ａの上端面との距離）をＬ４とし、さらにワイヤ露出部３Ｂの長さ（円柱部材７内のすり鉢状の穴８の開放端部８Ａと球状のワイヤエンド５の上部表面との距離）をＬ５としたとき、Ｌ３≒Ｌ４＋Ｌ５の関係が成り立つように設定されている。
【００２４】
次に、本実施例におけるケーシング付ワイヤケーブルの作用について説明する。
【００２５】
先ず、図１に示すように、ケーシング２の両端部からワイヤ露出部３Ａ，３Ｂがはみ出しているケーシング付ワイヤケーブル１を搬送する場合、円柱状のワイヤエンド４を把持して、図２に示すように、ワイヤ露出部３Ａを矢印Ａ方向に引っ張るとともに、球状のワイヤエンド５を円柱部材７のすり鉢状の穴８の内部に矢印Ｂのように押し込む。この場合、すり鉢状の穴８の内径は球状のワイヤエンド５の直径よりも大きく設定されているので、球状のワイヤエンド５をすり鉢状の穴８の内部に容易に押し込むことができる。
【００２６】
そして、図３に示すように、引っ張り出したワイヤ露出部３Ａに矢印Ｃのようにキャップ１０を被せる。このとき、キャップ１０の内部形状は下部開口端１０Ｃ側が円形であり、上下方向中央部から上部にかけて傾斜面１０Ａ，１０Ｂで囲まれた略矩形状に徐変しているので、円柱状のワイヤエンド４がどのような向きであっても、当該ワイヤエンド４の向きを所定の方向に正すことができる。すなわち、ワイヤエンド４の向きが略矩形状の貫通穴１１Ａに平行（ワイヤエンド４の長手方向と貫通穴１１Ａの長手方向とが平行）であれば、ワイヤエンド４はそのままの状態で、つまり向きを変えること無く貫通穴１１Ａに達するが、ワイヤエンド４の向きが貫通穴１１Ａに平行でない場合、例えばワイヤエンド４の向きが貫通穴１１Ａに対して傾いていたり直角であったりした場合、ワイヤエンド４は、傾斜面１０Ａ，１０Ｂを通過する際に、これら傾斜面１０Ａ，１０Ｂに案内されて貫通穴１１Ａに平行となる。
【００２７】
しかも、ワイヤエンド４には、その一側に傾斜端面４Ａが、他側に垂直端面４Ｅがそれぞれ形成されているので、ワイヤエンド４が貫通穴１１Ａに直角な状態（ワイヤエンド４の長手方向と貫通穴１１Ａの長手方向とが直角な状態）で傾斜面１０Ａ，１０Ｂ間に挿入されても、ワイヤエンド４は右又は左に容易に向きを変えることができ（このとき、ワイヤ露出部３Ａは捻られる）、最終的にはワイヤエンド４は貫通穴１１Ａに平行な状態となる。
【００２８】
さらに、キャップ１０を矢印Ｃ方向に更に押し込み、図４に示すように、スリット１３の垂直部分１３Ａ内にピン６を係合させ、このピン６がスリット１３の水平部分１３Ｂ付近まで達するようにする。そうすると、円柱状のワイヤエンド４はキャップ１０内部の貫通穴１１Ａを通過して、貫通穴１１Ａよりも上位に位置する。
【００２９】
この状態で、図５に示すように、キャップ１０を矢印Ｄ方向に回動させると、ピン６がスリット１３の水平部分１３Ｂ内に入り込むとともに、キャップ１０を更に矢印Ｄ方向に回動させると、ピン６は狭小部１３Ｄ（図８参照）を通過して、狭小部１３Ｄによってロックされる。このとき、円柱状のワイヤエンド４の向きと貫通穴１１Ａの向きは互いに直角となる。つまり、ワイヤエンド４の長手方向と貫通穴１１Ａの長手方向とが互いに直角となる。その結果、ワイヤエンド４は貫通穴１１Ａによって係止され、これにより、キャップ１０はワイヤ露出部３Ａを覆うとともに、ケーシング一側端部２Ａ（図１参照）から外れなくなる。
【００３０】
そして、図５に示すように、ワイヤ露出部３Ａをキャップ１０で、ワイヤ露出部３Ｂを円筒部材７でそれぞれ覆うことにより、ワイヤ露出部３Ａ，３Ｂが保護されるため、ケーシング付ワイヤ１の搬送時にキャップ１０や円柱部材７を何かにぶつけても、ワイヤ露出部３Ａ，３Ｂに曲げ癖が付くことはない。
【００３１】
図９〜図１１は円柱状のワイヤエンド４がキャップ内係止部１１に係止された状態を示しており、図９はその上面図、図１０は図９のＳＡ−ＳＡ線に沿った断面図、図１１は図９のＳＢ−ＳＢ線に沿った断面図である。
【００３２】
桟部１２の下面中央には、図１０及び図１１に示すように、円錐状の小突起１２Ａが形成されている。この小突起１２Ａは円柱状のワイヤエンド４の外周面上部に当接して、ワイヤエンド４を貫通穴１１Ａの上端部に押さえ込み、当該ケーシング付ワイヤエンドの搬送時に、ワイヤエンド４が振動するのを抑制している。
【００３３】
キャップ１０を取り外す場合は、キャップ１０を矢印Ｄ（図５参照）と反対方向に回動させて、キャップ１０上面の桟部１２を貫通穴１１Ａに平行にする。このとき、ピン６はスリット１３の水平部分１３Ｂから垂直部分１３Ａへと移動する。そして、キャップ１０を一旦下方へ（図４における矢印Ｃ方向）押すことにより、桟部１２が円柱状のワイヤエンド４の上面を押圧し、円柱状のワイヤエンド４を貫通穴１１Ａから押し出すことができる。このとき、スリット１３の垂直部分１３Ａは水平部分１３Ｂよりも若干上方へ突き出た形状となっているので、キャップ１０を下方へ押したときに、この上方へ突き出た部分にピン６が入り込み、キャップ１０を下方へ押す操作を容易に行うことができる。
【００３４】
本実施例によれば、ケーシング２の内表面とワイヤ３の外表面との間に隙間があるので、毛細管現象で水がケーシング２の内部に吸い上げられることはなく、ケーシング２内に浸入した水が冬場に凍結してワイヤ３が動かなくなってしまうという不具合を未然に防止できる。
【００３５】
次に、上記ケーシング付ワイヤケーブル１を実際にドア内に取り付けた一例について説明する。
【００３６】
図１２は、ケーシング付ワイヤケーブル１をドア２０のドアラッチ２１とドアプルハンドル２２間に取り付けた様子を示す斜視図である。また、図１３は図１２のＥ部付近の拡大斜視図である。
【００３７】
図１２に示すように、ドアアウタパネル２３の外表面上部にはドアプルハンドル２２が取り付けられている。また、ドア２０の内部にはドア端面付近にドアラッチ２１が設けられている。
【００３８】
ドアラッチ２１には支軸２４を介してドアラッチ解除レバー２５が取り付けられ、このドアラッチ解除レバー２５は支軸２４を中心にして矢印Ｆ１，Ｆ２方向に回動自在である。ケーシング付ワイヤケーブル１は、ケーシング一側端部２Ａがドアプルハンドル２２付近に配設され、その一側のワイヤ露出部３Ａがドアプルハンドル２２に接続されている。また、ケーシング付ワイヤケーブル１は、ケーシング端部２Ｂの円柱部材７がドアラッチ２１近傍の支持板９に固定されている。
【００３９】
図１２及び図１３に示すように、ドアラッチ解除レバー２５はＬ字型を成し、その先端部が直角に折り曲げられている。折り曲げ部２５Ａの先端には切欠き穴２５Ｂが形成されており、ケーシング付ワイヤケーブル１のワイヤ露出部３Ｂが折り曲げ部２５Ａまで延設されて、ワイヤ露出部３Ｂ先端の球状のワイヤエンド５が切欠き穴２５Ｂに係合している。
【００４０】
また、ドアラッチ解除レバー２５の折り曲げ部２５Ａには、車幅方向外側に突出した突出部２５Ｃが形成され、他車両が側突してドアアウタパネル２３が内側へ変形したときに、ドアアウタパネル２３の内面が当該突出部２５Ｃにぶつかるようになっている。さらに、ドアラッチ解除レバー２５には、支軸２４に近い側に、上下方向から切り込まれたフューズ部分２５Ｄが形成されている。
【００４１】
図１４及び図１５は円柱部材７を支持板９に取り付けたときの断面図であり、図１４は球状のワイヤエンド５をドアラッチ解除レバー２５の切欠き穴２５Ｂにまだ係合させていないときの様子を、図１５は球状のワイヤエンド５をドアラッチ解除レバー２５の切欠き穴２５Ｂに係合させたときの様子をそれぞれ示している。
【００４２】
図１５において、ドア２０（図１２参照）が閉まっている状態（つまり、ドアプルハンドル２２が操作されていない状態）のときは、球状のワイヤエンド５及びドアラッチ解除レバー２５の折り曲げ部２５Ａは実線の位置にある。ドア２０を開けるためにドアプルハンドル２２を操作すると、ワイヤ３が引っ張られて、球状のワイヤエンド５及びドアラッチ解除レバー２５の折り曲げ部２５Ａは破線の位置まで変位する。このとき、ドアラッチ解除レバー２５は矢印Ｆ１方向（図１２参照）に回動し、ドアラッチ２１によるロックが解除される。
【００４３】
ドアプルハンドル２２から手を離すと、ドアラッチ２１内の付勢手段の付勢力によって、ドアラッチ解除レバー２５は矢印Ｆ２方向に回動し、球状のワイヤエンド５及びドアラッチ解除レバー２５の折り曲げ部２５Ａは実線で示した元の位置に復帰する。このとき、ドア２０はドアラッチ２１によってロックされる。
【００４４】
次に、上記ドアラッチ解除レバー２５の車両側面衝突時における動作について説明する。
【００４５】
他車両の側突によりドアアウタパネル２３が内側へ変位して、ドアアウタパネル２３の内面がドアラッチ解除レバー２５の突出部２５Ｃにぶつかると、ドアラッチ解除レバー２５はフューズ部分２５Ｄで折れ曲がり、図１３に二点鎖線で示すように変形する。このとき、ドアラッチ解除レバー２５は、その先端部側（つまり、折れ曲がり部２５Ａ）が斜め上方に押し上げられるため、矢印Ｆ１方向（図１２参照）に回動し、ドアラッチ２１のロックが解除されてしまう虞がある。
【００４６】
本実施例では、ケーシング付ワイヤケーブル１のケーシング端部２Ｂに円柱部材７を設けたので、ドアラッチ解除レバー２５がフューズ部分２５Ｄで折れ曲がっても、図１５に二点鎖線で示すように、ドアラッチ解除レバー２５の上部が円柱部材７の下端面に当たって、ドアラッチ解除レバー２５及び球状のワイヤエンド５の上昇が制限され、ドアラッチ２１のロックが解除されてしまうのを防ぐことができる。
【００４７】
以上、本発明の実施例を図面により詳述してきたが、上記実施例は本発明の例示にしか過ぎないものであり、本発明は上記実施例の構成にのみ限定されるものではない。本発明の要旨を逸脱しない範囲の設計の変更等があっても、本発明に含まれることは勿論である。
【００４８】
例えば、本発明のケーシング付ワイヤケーブルはドアのラッチ機構以外（エンジンや駆動系の制御機構）にも適用できる。
【図面の簡単な説明】
【００４９】
【図１】本発明に係るケーシング付ワイヤケーブルの搬送時に、ワイヤの両端部を被覆体で覆う手順を示す図である。
【図２】図１の次の手順を示す図である。
【図３】図２の次の手順を示す図である。
【図４】図３の次の手順を示す図である。
【図５】図４の次の手順を示す図である。
【図６】円柱状のワイヤエンドを示しており、（ａ）はその上面図、（ｂ）は正面図、（ｃ）は側面図である。
【図７】被覆体としてのキャップの上部斜視図である。
【図８】キャップの下部斜視図である。
【図９】円柱状のワイヤエンドがキャップ内係止部に係止されたときのキャップの上面図である。
【図１０】図９のＳＡ−ＳＡ線に沿った断面図である。
【図１１】図９のＳＢ−ＳＢ線に沿った断面図である。
【図１２】ケーシング付ワイヤケーブルをドアラッチとドアプルハンドル間に取り付けた様子を示す斜視図である。
【図１３】図１２のＥ部付近の拡大斜視図である。
【図１４】円柱部材を支持板に取り付けたときの図であり、球状のワイヤエンドをドアラッチ解除レバーの切欠き穴にまだ係合させていないときの様子を示す断面図である。
【図１５】円柱部材を支持板に取り付けたときの図であり、球状のワイヤエンドをドアラッチ解除レバーの切欠き穴に係合させたときの様子を示す断面図である。
【符号の説明】
【００５０】
１  ケーシング付ワイヤケーブル
２  ケーシング
２Ａ  ケーシング一側端部
２Ｂ  ケーシング端部
３  ワイヤ
３Ａ，３Ｂ  ワイヤ露出部
４Ａ  傾斜端面
４  円柱状のワイヤエンド
５  球状のワイヤエンド
６  ピン
７  円柱部材
８  すり鉢状の穴
９  支持板
１０  キャップ
１１  キャップ内係止部
１２  桟部
１３  スリット
１３Ａ  水平部分
１３Ｂ  垂直部分
１３Ｄ  狭小部
【図１】
2008305114.tif 000003
【図２】
2008305114.tif 000004
【図３】
2008305114.tif 000005
【図４】
2008305114.tif 000006
【図５】
2008305114.tif 000007
【図６】
2008305114.tif 000008
【図７】
2008305114.tif 000009
【図８】
2008305114.tif 000010
【図９】
2008305114.tif 000011
【図１０】
2008305114.tif 000012
【図１１】
2008305114.tif 000013
【図１２】
2008305114.tif 000014
【図１３】
2008305114.tif 000015
【図１４】
2008305114.tif 000016
【図１５】
2008305114.tif 000017